(57)【要約】【課題】ユーザのチャンネル切り替え操作から番組表示までの時間を短縮できる放送受信装置及びプログラムを提供する。【解決手段】放送番組を視聴するモード以外のモード時にテレビ放送信号に多重化されているＥＰＧ情報を参照してスクランブル解除キーを取得し、それをＥＰＧ情報テーブル３０に登録した後、ユーザによって放送番組を視聴するモードが選択されたときに、ＥＰＧ情報テーブル３０を参照して、今ユーザが選択したチャンネルに対応するスクランブル解除キーが登録されていれば、それを用いて現在のチャンネルに対してデスクランブルを行う。これにより、ユーザのチャンネル切り替え操作から番組表示までの時間が短縮され、操作性の良い放送受信装置を提供することができる。【選択図】図１
2006054537.tif 000002
【特許請求の範囲】
【請求項１】
電子番組情報とテレビ放送信号とを受信可能な放送受信装置において、
放送番組を視聴するモード以外のモード時に、電子番組情報を参照してスクランブル解除キーを取得し、番組情報テーブルに登録するスクランブル解除キー取得手段と、
ユーザが放送番組を視聴するモードを選択した場合に、前記番組情報テーブルを参照して、ユーザが選択したチャンネルに対応するスクランブル解除キーが登録されていれば、そのスクランブル解除キーを使用してユーザが選択したチャンネルに対してデスクランブルを行うデスクランブル手段と、
を備える放送受信装置。
【請求項２】
電子番組情報とテレビ放送信号とを受信可能なカーテレビ装置において、
請求項１に記載の放送受信装置を備えるカーテレビ装置。
【請求項３】
電子番組情報とテレビ放送信号とを受信可能なカーナビゲーション装置において、
請求項１に記載の放送受信装置を備えるカーナビゲーション装置。
【請求項４】
電子番組情報とテレビ放送信号とを受信可能な放送受信装置に用いられるプログラムにおいて、
放送番組を視聴するモード以外のモード時に、電子番組情報を参照してスクランブル解除キーを取得し、番組情報テーブルに登録するスクランブル解除キー取得手順と、
ユーザが放送番組を視聴するモードを選択した場合に、前記番組情報テーブルを参照して、ユーザが選択したチャンネルに対応するスクランブル解除キーが登録されていれば、そのスクランブル解除キーを使用してユーザが選択したチャンネルに対してデスクランブルを行うデスクランブル手順と、
をコンピュータに実行させるプログラム。
【発明の詳細な説明】
【技術分野】
【０００１】
本発明は、地上デジタル放送を受信する放送受信装置及び該放送受信装置に用いられるプログラムに関する。
【背景技術】
【０００２】
従来、地上デジタル放送では、音声データ、映像データの他にＥＰＧと呼ばれる電子番組情報を多重化したテレビ放送信号が送信されている。他方、このデジタル放送を受信する放送受信装置においては、受信した電子番組情報に基づいて番組表データを生成しディスプレイ上に表示して、ユーザがディスプレイ画面上で番組の検索、選択や録画予約等を容易に行うことができるようにしている（例えば、特許文献１参照）。
【０００３】
【特許文献１】特開２００２―２５２８１７号公報
【発明の開示】
【発明が解決しようとする課題】
【０００４】
しかしながら、地上デジタル放送では、チャンネル毎にスクランブルがかかっており、しかもスクランブルを解除するキー即ちスクランブル解除キーはチャンネル毎に異なっているので、チャンネル切り替えの都度スクランブル解除キーの取得が必要であり、このため、番組表示まで時間がかかってしまうという問題がある。
【０００５】
本発明は、係る事情に鑑みてなされたものであり、ユーザのチャンネル切り替え操作から番組表示までの時間を短縮できる放送受信装置及びプログラムを提供することを目的とする。
【課題を解決するための手段】
【０００６】
上記目的は下記構成又はプログラムにより達成される。
（１）  電子番組情報とテレビ放送信号とを受信可能な放送受信装置において、放送番組を視聴するモード以外のモード時に、電子番組情報を参照してスクランブル解除キーを取得し、番組情報テーブルに登録するスクランブル解除キー取得手段と、ユーザが放送番組を視聴するモードを選択した場合に、前記番組情報テーブルを参照して、ユーザが選択したチャンネルに対応するスクランブル解除キーが登録されていれば、そのスクランブル解除キーを使用してユーザが選択したチャンネルに対してデスクランブルを行うデスクランブル手段と、を備える。
【０００７】
（２）  電子番組情報とテレビ放送信号とを受信可能なカーテレビ装置において、上記（１）に記載の放送受信装置を備える。
【０００８】
（３）  電子番組情報とテレビ放送信号とを受信可能なカーナビゲーション装置において、上記（１）に記載の放送受信装置を備える。
【０００９】
（４）  電子番組情報とテレビ放送信号とを受信可能な放送受信装置に用いられるプログラムにおいて、放送番組を視聴するモード以外のモード時に、電子番組情報を参照してスクランブル解除キーを取得し、番組情報テーブルに登録するスクランブル解除キー取得手順と、ユーザが放送番組を視聴するモードを選択した場合に、前記番組情報テーブルを参照して、ユーザが選択したチャンネルに対応するスクランブル解除キーが登録されていれば、そのスクランブル解除キーを使用してユーザが選択したチャンネルに対してデスクランブルを行うデスクランブル手順と、をコンピュータに手順を実行させる。
【発明の効果】
【００１０】
上記（１）に記載の放送受信装置では、放送番組を視聴するモード以外のモード時に電子番組情報を参照してスクランブル解除キーを取得し登録しておくので、ユーザのチャンネル切り替え操作から番組表示までの時間を短縮できる。
【００１１】
上記（２）に記載のカーテレビ装置では、上記（１）に記載の放送受信装置を備えているので、テレビ番組視聴時においてチャンネル切り替え操作から番組表示までの時間を短縮化できる。
【００１２】
上記（３）に記載のカーナビゲーション装置では、上記（１）に記載の放送受信装置を備えているので、テレビ番組視聴時においてチャンネル切り替え操作から番組表示までの時間を短縮化できる。
【００１３】
上記（４）に記載のプログラムでは、放送番組を視聴するモード以外のモード時に電子番組情報を参照してスクランブル解除キーを取得し登録しておくので、ユーザのチャンネル切り替え操作から番組表示までの時間を短縮化できる。
【発明を実施するための最良の形態】
【００１４】
以下、本発明を実施するための最良の形態について、図面を参照して詳細に説明する。
【００１５】
図１は、本発明の一実施の形態に係る放送受信装置の構成を示すブロック図である。この図において、本実施の形態に係る放送受信装置は、地上デジタル放送を受信可能であり、受信部１０と、データ処理部１１と、ＴＳ（トランスポートストリーム）デコーダ部１２と、Ａ／Ｖデコーダ部１３と、再生部１４と、音声出力部１５と、映像出力部１６と、入力受信部１７と、受信制御部１８と、時間管理部１９と、ＥＰＧ情報メモリ２０とを備えている。
【００１６】
受信部１０は、デジタル放送送信装置（図示略）から送信されてくるトランスポートストリームを受信するチューナを有し、受信制御部１８から指定されたtransport_stream_idに対応するトランスポートストリームのみをＴＳデコーダ部１２に入力する。ＴＳデコーダ部１２は、受信制御部１８により指定されたＰＩＤ（パケット識別子）を分離条件として、ＮＩＴ，ＳＤＴ，ＥＩＴ，ＰＡＴ，ＰＭＴ等の各システムテーブルを受信部１０から入力されるトランスポートストリームから抽出する。
【００１７】
また、ＴＳデコーダ部１２は、受信制御部１８により指定されたＰＩＤを有するプレゼンテーション情報を抽出し、データ処理部１１とＡ／Ｖデコーダ部１３に入力する。ＴＳデコーダ部１２は、受信制御部１８により指定されたＰＩＤを分離条件としてＲＣＩを抽出する。Ａ／Ｖデコーダ部１３は、ＴＳデコーダ部１２から入力されるプレゼンテーション情報を復号し、再生部１４に入力する。
【００１８】
データ処理部１１は、ＴＳデコーダ部１２から入力されたプレゼンテーション情報からＥＰＧと呼ばれる電子番組情報（以下、ＥＰＧ情報）を分離し、それを再生部１４に入力するとともに、ＥＰＧ情報メモリ２０に書き込む。ＥＰＧ情報メモリ２０には、図２に示すＥＰＧ情報テーブル３０が番組情報テーブルとして設定されており、このＥＰＧ情報テーブル３０にＥＰＧ情報が書き込まれる。この場合、ユーザによる何等かの操作が一定時間継続して行われないと、全チャンネルの夫々に対してＥＰＧ情報が取得されて、ＥＰＧ情報テーブル３０に書き込まれる。ここで、ＥＰＧ情報テーブル３０には、日付、放送時間、番組名、ジャンル等が登録される。
【００１９】
また、データ処理部１１は、ＥＰＧ情報テーブル３０を参照し、放送開始番組があり且つ受信部１０のチューナが未使用であれば、放送開始番組のチャンネルに切り替える。そして、データ処理部１１は、該チャンネルに対応するスクランブル解除キーを取得し、それをＥＰＧ情報テーブル３０に登録する。
【００２０】
再生部１４は、受信制御部１８の制御に従い、Ａ／Ｖデコーダ部１３で復号されたプレゼンテーション情報を音声データと映像データとに分離する。再生部１４は、分離した音声データを音声信号に変換して音声出力部１５に入力する。また、再生部１４は、分離した映像データを映像信号に変換して映像出力部１６に音声信号と同期して入力する。再生部１４は、この際、受信制御部１８からＥＰＧ情報の画面データを通知されている場合には、この画面データと分離した映像データとを映像信号に変換し映像出力部１６に入力する。
【００２１】
音声出力部１５は、再生部１４から入力されるデジタル音声信号をそのまま、又は、アナログ音声信号に変換して外部のスピーカ（図示略）に入力する。映像出力部１６は、再生部１４から入力されるデジタル映像信号をＮＴＳＣ方式やＰＡＬ方式等に従い、アナログ映像信号に変換して外部のＣＲＴ等のディスプレイ（図示略）に入力する。なお、デジタル映像信号のまま外部のディスプレイに出力するようにしてもよい。
【００２２】
入力受信部１７は、視聴者のリモコン操作等による番組の選択、番組の録画、番組予約等の入力信号を受信する。入力受信部１７は、受信した信号を受信制御部１８に通知する。受信制御部１８は、ＣＰＵと、トランスポートストリームの受信制御及びＲＣＩの解釈のための制御プログラムが格納されているＲＯＭと、作業用記憶領域であるＲＡＭとを有しており、制御プログラムに従い処理を行う。
【００２３】
受信制御部１８は、ユーザが視聴操作（チャンネル切り替え操作）を行ったことを検知すると、ユーザが選択したチャンネルに切り替えた後、ＥＰＧ情報メモリ２０のＥＰＧ情報テーブル３０を参照し、現在のチャンネルに対応するスクランブル解除キーが登録されているかどうか確認する。該当するキーが登録されていれば、受信制御部１８は、そのスクランブル解除キーを用いて復号処理を行う。一方、該当するチャンネルに対応するスクランブル解除キーが登録されていなければ、受信制御部１８は、そのチャンネルに対応するスクランブル解除キーを取得し、ＥＰＧ情報テーブル３０に登録した後、それを用いて復号処理を行う。
【００２４】
時間管理部１９は、時間を管理しており、受信制御部１８からの時刻の問い合わせに対して、現在の時刻を通知する。ここで、時刻は、年、月、日、時刻の情報を含んでいる。
【００２５】
なお、上記データ処理部１１は、番組情報取得手段とスクランブル解除キー取得手段に対応し、受信制御部１８は、デスクランブル手段に対応する。
【００２６】
次に、上記構成の放送受信装置の動作を説明する。
【００２７】
（ＥＰＧ情報取得処理）
図３は、ＥＰＧ情報取得処理を示すフローチャートである。
【００２８】
まず、データ処理部１１は、チャンネル切り替え操作が行われなかった期間が一定時間を超えたかどうか判定し（ステップＳ１０）、一定時間内にチャンネル切り替え操作が行われた場合は、このステップＳ１０の処理を繰り返し、一定時間を超えてもチャンネル切り替え操作が行われなかった場合は、１チャンネル分だけチャンネルの切り替えを行い（ステップＳ１１）、そのチャンネルに対応するＥＰＧ情報を取得する（ステップＳ１２）。
【００２９】
そして、データ処理部１１は、取得したＥＰＧ情報をＥＰＧ情報メモリ２０のＥＰＧ情報テーブル３０に登録する（ステップＳ１３）。次いで、データ処理部１１は、全てのチャンネルに対してＥＰＧ情報を取得したかどうか判定し（ステップＳ１４）、全てのチャンネルに対してＥＰＧ情報を取得していない場合はステップＳ１０に戻り、上記同様の処理を行う。そして、データ処理部１１は、全てのチャンネルに対してＥＰＧ情報を取得すると本処理を終了する。
【００３０】
（スクランブル解除キー取得処理）
図４は、スクランブル解除キー取得処理を示すフローチャートである。
【００３１】
まず、受信制御部１８は、ＥＰＧ情報メモリ２０のＥＰＧ情報テーブル３０を参照する（ステップＳ２０）。そして、受信制御部１８は、ＥＰＧ情報テーブル３０から放送開始番組があるかどうか判定し（ステップＳ２１）、放送開始番組がない場合は本処理を終了し、放送開始番組がある場合は受信部１０のチューナが未使用であるかどうか判定する（ステップＳ２２）。
【００３２】
チューナが未使用でない即ち使用中である場合はステップＳ２１に戻り、受信制御部１８は、チューナが未使用である場合は、チャンネルの切り替えを行う（ステップＳ２３）。そして、受信制御部１８は、該チャンネルに対応するスクランブル解除キーを取得し（ステップＳ２４）、それをＥＰＧ情報テーブル３０に登録する（ステップＳ２５）。この場合、受信制御部１８は、切り替えチャンネルに対応させて登録する。
【００３３】
（視聴処理）
図５は、視聴処理を示すフローチャートである。
【００３４】
まず、ユーザがチャンネルの切り替えを行う（ステップＳ３０）と、装置側の受信制御部１８は、ＥＰＧ情報テーブル３０を参照する（ステップＳ３１）。そして、データ処理部１１は、今ユーザが選択したチャンネルに対応するスクランブル解除キーがＥＰＧ情報テーブル３０に登録されているかどうか判定する（ステップＳ３２）。
【００３５】
データ処理部１１は、ユーザが選択したチャンネルに対応するスクランブル解除キーが登録されている場合は、それを用いて復号処理を行う（ステップＳ３３）。そして、データ処理部１１は、当該チャンネルに対応するスクランブル解除キー（新キー）を取得する（ステップＳ３４）。そして、データ処理部１１は、新キーとＥＰＧ情報テーブル３０に登録されているスクランブル解除キー（旧キー）が一致しているかどうか判定し（ステップＳ３５）、一致している場合は本処理を終了し、一致していない場合は新キーを用いて復号処理を行う（ステップＳ３６）。その後、データ処理部１１は、新キーをユーザが選択したチャンネルに対応させてＥＰＧ情報テーブル３０に登録し（ステップＳ３７）、本処理を終了する。
【００３６】
一方、ステップＳ３２において、ユーザが選択したチャンネルに対応するスクランブル解除キーが登録されていない場合は、データ処理部１１は、当該チャンネルに対応するスクランブル解除キーを取得する（ステップＳ３８）。そして、データ処理部１１は、取得したスクランブル解除キーを用いて復号処理を行う（ステップＳ３９）。その後、データ処理部１１は、当該スクランブル解除キーをユーザが選択したチャンネルに対応させてＥＰＧ情報テーブル３０に登録し（ステップＳ４０）、本処理を終了する。
【００３７】
このように、本実施の形態の放送受信装置によれば、放送番組を視聴するモード以外のモード時にテレビ放送信号に多重化されているＥＰＧ情報を参照してスクランブル解除キーを取得し、それをＥＰＧ情報テーブル３０に登録した後、ユーザによって放送番組を視聴するモードが選択されたときに、ＥＰＧ情報テーブル３０を参照して、今ユーザが選択したチャンネルに対応するスクランブル解除キーが登録されていれば、それを用いて現在のチャンネルに対してデスクランブルを行う。これにより、ユーザのチャンネル切り替え操作から番組表示までの時間が短縮され、操作性の良い放送受信装置を提供することができる。
【００３８】
なお、本実施の形態は放送受信装置であったが、カーテレビ装置やテレビ機能を備えたカーナビゲーション装置であっても良い。要するに地上デジタル放送を受信できる装置であれば、どのようなものでも良い。
【産業上の利用可能性】
【００３９】
本発明は、ユーザのチャンネル切り替え操作から番組表示までの時間を短縮できるといった効果を有し、放送受信装置、カーテレビ装置、テレビ放送受信機機能を備えたカーナビゲーション装置などへの適用が可能である。
【図面の簡単な説明】
【００４０】
【図１】本発明の一実施の形態に係る放送受信装置の構成を示すブロック図
【図２】上記実施の形態に係る放送受信装置に用いられるＥＰＧ情報テーブルを示す図
【図３】上記実施の形態に係る放送受信装置のＥＰＧ情報取得処理を説明するためのフローチャート
【図４】上記実施の形態に係る放送受信装置のスクランブル解除キー取得処理を説明するためのフローチャート
【図５】上記実施の形態に係る放送受信装置の視聴処理を説明するためのフローチャート
【符号の説明】
【００４１】
１０  受信部
１１  データ処理部
１２  ＴＳデコーダ部
１３  Ａ／Ｖデコーダ部
１４  再生部
１５  音声出力部
１６  映像出力部
１７  入力受信部
１８  受信制御部
１９  時間管理部
２０  ＥＰＧ情報メモリ
３０  ＥＰＧ情報テーブル
【図１】
2006054537.tif 000003
【図２】
2006054537.tif 000004
【図３】
2006054537.tif 000005
【図４】
2006054537.tif 000006
【図５】
2006054537.tif 000007